(57)【要約】【課題】制御フィールド及びデータ・フィールドの効率的な区分。【解決手段】複数の実施形態は、待ち時間と処理時間との効率的なトレードオフを記載する。１つの制御フィールドは、符号化時間と復号化時間とをトレードオフするためにフレームの内部に配置されることができる。あるいは、制御フィールドは、２つの部分へと区分されることができ、スケジューリング、符号化及び復号化のために十分な処理時間を維持しつつ、良好な待ち時間特性を達成できる。ある複数の実施形態にしたがって、１つのホップのＡＣＫ／ＮＡＣＫフィールドは、マルチ・ホップ・システムにおける次のホップのリソースに対する要請になるという２つの目的を満たすことができる。同様に記載されたものは、待ち時間性能を改善することができる暗黙の肯定的受領通知のモニタリングである。【選択図】図２
2008524938.tif 000002
【特許請求の範囲】
【請求項１】
データ通信のための方法、該方法は下記を具備する：
符号化時間と復号化時間との間の時間配分を決定すること；及び
該決定された時間配分に一部は基づいてフレーム内部に制御フィールドを選択的に配置すること。
【請求項２】
請求項１の方法、ここにおいて、制御フィールドを選択的に配置することは、下記をさらに備える：
該復号化時間が該符号化時間よりも長い場合に、該制御フィールドをスロット中心の右に配置すること、又は該復号化時間が該符号化時間よりも短い場合に、該制御フィールドを該スロット中心の左に配置すること。
【請求項３】
請求項１の方法、ここにおいて、制御フィールドを選択的に配置することは、下記をさらに備える：
該制御フィールドを少なくとも２つの部分へと分離すること；及び
該制御フィールドの該少なくとも２つの部分のうちの１つの一部として要請フィールドを与えること。
【請求項４】
請求項１の方法であって、下記をさらに具備する：
該制御フィールドを第１の部分及び第２の部分へと分割すること；
ＲＥＱＵＥＳＴ，ＰＩＬＯＴ及び制御情報のうちの少なくとも１つを該制御フィールドの該第１の部分中に配置すること；及び
ＧＲＡＮＴ，ＡＣＫ／ＮＡＣＫ、及びリソースの割当てに関係する情報又は復号化の結果のうちの少なくとも１つを該制御フィールドの第２の部分中に配置すること。
【請求項５】
請求項１の方法であって、下記をさらに具備する：
前のホップにおいてノードによって送られた肯定的受領通知を復号すること；及び
リソースに対する暗黙の要請として該復号された肯定的受領通知を使用すること。
【請求項６】
請求項１の方法、ここにおいて、該制御フィールドは、要請フィールド、許可フィールド、及び肯定的受領通知／否定的受領通知フィールドを備える。
【請求項７】
請求項１の方法であって、下記をさらに具備する：
予見的要請を該フレーム中に配置するかどうかを決定すること；及び
該予見的要請決定に基づいて送信ノードにより該フレーム中に該予見的要請を配置すること。
【請求項８】
請求項７の方法、ここにおいて、該決定が該予見的要請を該フレーム中に配置すべきでないことを指示する場合に、該方法は下記をさらに具備する：
追加の要請フィールドを該制御フィールドの該第２の部分中に配置するかどうかを決定すること；及び
該追加の要請フィールド決定に基づいて該送信ノードにより該追加の要請フィールドを含めること。
【請求項９】
請求項８の方法、ここにおいて、該決定が該追加の要請フィールドを該制御フィールドの該第２の部分中に配置すべきでないことを指示する場合に、該方法は、受信ノードにより暗黙の要請をモニタすることをさらに備える。
【請求項１０】
データ通信のための装置、該装置は下記を具備する：
符号化時間と復号化時間との間の時間区分を決定する時間区分モジュール；及び
該決定された時間区分に一部は基づいてフレーム内部で制御フィールドの配置を決定するスロット配置モジュール。
【請求項１１】
請求項１０の装置、ここにおいて、該スロット配置モジュールは、該復号化時間が該符号化時間よりも長い場合にスロット中心の右に、又は該復号化時間が該符号化時間よりも短い場合に該スロット中心の左に、該単一制御フィールドを配置する。
【請求項１２】
請求項１０の装置、該装置は、送っているノードからのＡＣＫ／ＮＡＣＫフィールドをモニタし、そして該ＡＣＫ／ＮＡＣＫフィールドをリソースの要請として考える暗黙の要請モニタをさらに具備する。
【請求項１３】
請求項１０の装置、ここにおいて、該時間区分モジュールは、該制御フィールドを２つの部分へと分離し、そして該２つの部分のうちの１つの中で要請フィールドの位置を決める。
【請求項１４】
請求項１３の装置、ここにおいて、該時間区分モジュールは、該分割された制御フィールドの第１の部分中にＲＥＱＵＥＳＴ及びＰＩＬＯＴを配置し、そして該分割された制御フィールドの第２の部分中にＧＲＡＮＴ及びＡＣＫ／ＮＡＣＫを配置する。
【請求項１５】
データ通信のためにそこに記憶されたコンピュータ実行可能な命令を有するコンピュータ読み取り可能な媒体、該命令は下記を実行するために構成される：
符号化時間と復号化時間との間の時間配分を決定する；及び
該決定された時間配分に一部は基づいてフレーム内部に制御フィールドを選択的に配置する。
【請求項１６】
請求項１５のコンピュータ読み取り可能な媒体、該命令は下記をさらに実行するために構成される：
該復号化時間が該符号化時間よりも長い場合に、該制御フィールドをスロット中心の右に配置する、又は該復号化時間が該符号化時間よりも短い場合に、該制御フィールドを該スロット中心の左に配置する。
【請求項１７】
請求項１５のコンピュータ読み取り可能な媒体、該命令は下記をさらに実行するために構成される：
該制御フィールドを第１の部分及び第２の部分へと分割する；及び
下記のうちの１つを実行する：
該制御フィールドの該第１の部分の一部として要請フィールドを与えること；
前のホップにおいてノードによって送られた肯定的受領通知を復号すること；及び
リソースに対する暗黙の要請として該復号された肯定的受領通知を使用すること。
【請求項１８】
データ通信のためのプロセッサ、該プロセッサは下記を実行するために構成される：
符号化時間と復号化時間との間の時間配分を決定する；及び
該決定された時間配分に一部は基づいてフレーム内部に制御フィールドを選択的に配置する。
【請求項１９】
請求項１８のプロセッサ、該プロセッサは下記をさらに実行するために構成される：
該制御フィールドを第１の部分及び第２の部分へと分割する；
ＲＥＱＵＥＳＴ，ＰＩＬＯＴ、及び制御情報のうちの少なくとも１つを該制御フィールドの該第１の部分中に配置する；及び
ＧＲＡＮＴ，ＡＣＫ／ＮＡＣＫ、及びリソースの割当てに関係する情報又は復号化の結果のうちの少なくとも１つを該制御フィールドの第２の部分中に配置する。
【請求項２０】
データ通信のための装置、該装置は下記を具備する：
符号化時間と復号化時間との間の時間配分を決定するための手段；及び
該決定された時間配分に一部は基づいてフレーム内部で制御フィールドを選択的に配置するための手段。
【請求項２１】
請求項２０の装置、該装置は下記をさらに具備する：
該制御フィールドを２つの部分へと分割するための手段；
予見的要請を選択的に含ませるための手段；及び
ＡＣＫを復号するため、そしてリソースに対する暗黙の要請として該ＡＣＫを使用するための手段。
【発明の詳細な説明】
【技術分野】
【０００１】
本出願は、米国特許仮出願番号第６０／７３７，６８８号、２００５年１１月１６日出願、名称“制御フィールド及びデータ・フィールドの区分（PARTITIONING OF CONTROL AND DATA FIELD）”、に優先権を主張し、その全体が引用によってここに取り込まれている。
【０００２】
以下の記載は、一般に通信システムに係り、そして、とりわけ、マルチ・ホップ無線ネットワークに関する。
【背景技術】
【０００３】
無線通信ネットワークは、ユーザがどこに（例えば、屋内又は屋外に）位置しているのかに拘らず、そしてユーザが移動式であるか又は据置き型であるかどうかに拘らず情報を伝達するために利用されている。一般に、無線通信ネットワークは、基地局すなわちアクセス・ポイントと通信する移動デバイスを経由して確立される。アクセス・ポイントは、地理的な領域、すなわちセルをカバーする、そして移動デバイスが動作されると、移動デバイスは、これらの地理的なセルの中へそして外へ移動することがある。実質的に中断のない通信を実現するために、移動デバイスは、それが入ったセルのリソースを割り当てられ、そしてそれが出たセルのリソースの割当てを解除される。
【０００４】
マルチ・ホップ技術では、通信又は伝送は、公開ネットワーク（例えば、インターネット）又は私的なネットワークに有線接続を用いてアクセス・ポイントに多数の無線ホップ又はセグメントを経由して伝達される。総合待ち時間は、中間のホップの間だけでなく、通信パス全体（例えば、ソークから到着地まで）に対して考慮されるべきである複数の問題のうちの１つである。制御フィールドがリソースを要請するため及び／又は許可するために、そして伝送を承認するために使用される時に、スロットの始めの１つの場所に配置された制御フィールドは、遅延を増大させることがある。この問題は、マルチ・ホップ無線ネットワークにおいて使用される時に強調されることがある。
【発明の開示】
【０００５】
［サマリー］
下記は、開示された複数の実施形態の幾つかの態様の基本的な理解を与えるために単純化したサマリーを提示する。このサマリーは、完璧な全体像ではなく、そして鍵となる又は重要な要素を認識させることも、そのような実施形態の範囲を線引きすることも意図されていない。そのただ１つの目的は、後で提示されるより詳細な説明への前置きとして単純化した形式で記載された実施形態のある複数の概念を提示することである。
【０００６】
１又はそれより多くの実施形態及びそれに対応する開示にしたがって、様々な態様が、フレームの内部で制御フィールド及びデータ・フィールドを区分することに関連して記載される。フレーム内部で制御フィールド及びデータ・フィールドを適切に区分することは、十分な処理時間を認めつつ、データ伝送の際に最小待ち時間を確実にするために重要である。
【０００７】
１つの実施形態にしたがって、データ通信のための方法が提供される。その方法は、符号化時間と復号化時間との間の時間配分を決定すること、及び該決定された時間配分に一部は基づいてデータ伝送のフレーム内部に制御フィールドを選択的に配置することを含む。ある複数の実施形態にしたがって、該方法は、必要な該復号化時間が該符号化時間よりも長い場合に、該制御フィールドをスロット中心の右に配置すること、又は必要な該復号化時間が該符号化時間よりも短い場合に、該制御フィールドを該スロット中心の左に配置することを含む。送信機において符号化すること及び受信機において復号することに加えて、又はそれらの代わりに、処理の別の１つの態様は、どちらの送信機がリソースを認可されるべきであるか、そしてどれだけの数のリソースが認可されるべきであるかを決定するためにスケジューラにとって利用可能な時間である。分離制御フィールドのアプローチは、フレーム期間又はスロット期間を増加させることなくスケジューリングのために可能な限り多くの時間を認める際にさらなる自由度を与える。
【０００８】
ある複数の実施形態にしたがって、データ通信のための装置が提供される。その装置は、符号化時間と復号化時間との間の時間区分を決定する時間区分モジュールを含むことができる。同様に、その装置に含まれるものは、フレーム内部の制御フィールドの配置を決定するスロット配置モジュールであり得る。ある複数の実施形態では、該装置は、送っているノードからのＡＣＫ／ＮＡＣＫフィールドをモニタし、そして該ＡＣＫ／ＮＡＣＫフィールドをリソースの要請として考える暗黙の要請モニタを同様に含むことができる。
【０００９】
ある複数の実施形態は、データ通信のための方法を組み込んだコンピュータ読み取り可能な媒体を含む。その方法は、符号化時間と復号化時間との間の時間の区分を設定すること、及び該符号化時間と該復号化時間との間の該設定された時間区分を実現するためにデータ・フレームの選択的に決められた位置に制御フィールドの少なくとも一部を配置することを含む。
【００１０】
ある複数の実施形態にしたがったものは、データ通信のための命令を実行するプロセッサである。該プロセッサは、符号化時間と復号化時間との間の時間配分を選択するため、そして該選択された時間配分に一部は基づいてデータ伝送のフレーム内部に制御フィールドを配置するために構成されることができる。
【００１１】
ある複数の実施形態にしたがったものは、符号化時間及び復号化時間配分を確認にするための手段、及び該符号化時間と該復号化時間との間の確認された配分に一部は基づいてフレーム内部で制御フィールドの位置を決定するための手段を含む装置である。その装置は、制御フィールドを２つの部分へと分割するための手段、予見的要請を選択的に含ませるための手段、及びＡＣＫを復号するためそしてリソースに対する暗黙の要請としてＡＣＫを使用するための手段を同様に含むことができる。
【００１２】
上記の目的及び関係する目的を達成するために、１又はそれより多くの実施形態は、この後で十分に説明される特徴及び特許請求の範囲で特に示される特徴を備える。以下の記載及び添付された図面は、ある例示の態様を詳細に説明し、そして本実施形態の原理がその中で採用されることができる様々な方法を少しではあるが示している。その他の利点及び新奇な特徴は、図面とともに考察したときに、下記の詳細な説明から明らかになるであろう、そして開示される実施形態は、全てのそのような態様及びそれらと等価なものを含むように意図されている。
【００１３】
［詳細な説明］
様々な実施形態が、図面を参照してここに記載される。以下の記載において、説明の目的のために、数多くの具体的な詳細が、１又はそれより多くの態様の完全な理解を提供するために説明される。しかしながら、そのような（複数の）実施形態が、これらの具体的な詳細を用いないで実行され得ることは、明白である。別の例では、周知の構造及びデバイスは、これらの実施形態を説明することを容易にするためにブロック図の形式で示される。
【００１４】
本明細書において使用されるように、用語“コンポーネント”、“モジュール”、“システム”及びその他は、ハードウェア、ファームウェア、ハードウェアとソフトウェアとの組み合わせ、ソフトウェア、又は実行中のソフトウェアのいずれかのコンピュータに関係するエンティティ（entity）を呼ぶように意図されている。例えば、コンポーネントは、プロセッサ上でランされているプロセス、プロセッサ、オブジェクト、実行可能なもの（executable）、実行のスレッド、プログラム、及び／又はコンピュータを呼ぶことができるが、これらに限定されない。説明のために、計算デバイス上でランしているアプリケーション及び計算デバイスの両者は、コンポーネントであり得る。１又はそれより多くのコンポーネントは、プロセス及び／又は実行のスレッドの中に存在でき、そしてコンポーネントは、１つのコンピュータ上に局在化されることができる及び／若しくは２又はそれより多くのコンピュータ間に分散されることができる。その上、これらのコンポーネントは、その媒体上に記憶された様々なデータ構造を有する種々のコンピュータ読み取り可能な媒体から実行されることができる。コンポーネントは、１又はそれより多くのデータ・パケット（例えば、ローカル・システム中の、分散型システム中の、及び／又は信号を経由して別のシステムとインターネットのようなネットワークを介して他のコンポーネントと相互情報交換をする１つのコンポーネントからのデータ）を有する信号にしたがうようにローカル・プロセス及び／又は遠隔プロセスを経由して伝達することができる。
【００１５】
その上、様々な態様が、ユーザ・デバイスに関係して本明細書中に記載される。ユーザ・デバイスは、しかも、システム、加入者ユニット、加入者局、移動局、移動デバイス、遠隔局、アクセス・ポイント、基地局、遠隔端末、アクセス端末、無線端末、ハンドセット、ホスト、ユーザ端末、端末、ユーザ・エージェント、又はユーザ装置とも呼ばれる。ユーザ・デバイスは、セルラ電話機、コードレス電話機、セッション開始プロトコル（ＳＩＰ：Session Initiation Protocol）電話機、無線ローカル・ループ（ＷＬＬ：wireless local loop）局、ＰＤＡ、無線接続能力を有する手持ちデバイス、又は無線モデムに接続された他の（複数の）処理デバイスであり得る。
【００１６】
その上に、本明細書中に記載された各種の態様又は各種の特徴は、方法、装置、又は標準のプログラミング技術及び／又はエンジニアリング技術を使用する製造の物品（article of manufacture）として与えられることができる。本明細書中で使用されるように用語“製造の物品”は、いずれかのコンピュータ読み取り可能なデバイス、キャリア、又は媒体からアクセス可能なコンピュータ・プログラムを含むように意図されている。例えば、コンピュータ読み取り可能な媒体は、磁気記憶デバイス（例えば、ハード・ディスク、フロッピー（登録商標）ディスク、磁気テープ、．．．）、光ディスク（例えば、コンパクト・ディスク（ＣＤ：compact disc）、ディジタル多目的ディスク（ＤＶＤ：digital versatile disc）．．．）、スマート・カード、及びフラッシュ・メモリ・デバイス（例えば、カード・スティック、キー・ドライブ、．．．）を含むことができるが、これらに限定されない。
【００１７】
種々の実施形態が、複数のコンポーネント、モジュール、及びその他を含むことができるシステムの観点から提示される。種々のシステムが増設のコンポーネント、モジュール、等を含むことができること、及び／又は図面に関係して記載されたコンポーネント、モジュール、等の全てを含まないことがあることが、理解されそして認識される。これらのアプローチの組み合わせも、同様に使用されることができる。
【００１８】
以下の詳細な説明では、種々の態様及び実施形態が、時分割二重化（ＴＤＤ：Time Division Duplex）の関係で説明されることがある。これらの発明的態様が、開示された実施形態を用いる使用のために十分に適していることがあるが、これらの発明的態様は、同様に種々の別のシステムにおける使用のために適用可能であることを、当業者は、容易に認識するであろう。したがって、ＴＤＤへのいずれかの参照は、発明的態様が広い範囲のアプリケーションを有することを理解するとともに、そのような発明的態様を説明するためにだけ意図されている。
【００１９】
ここで図面を参照して、図１は、本明細書中に開示された種々の実施形態にしたがったマルチ・ホップ通信システム１００の例示である。アクセス・ポイント・ノード１０２，１０４，１０６，１０８，１１０及び１１２は、ツリー状の構成に（例えば、無線で）接続される。図示されたように、アクセス・ポイント１０２は、唯１つの有線接続されたアクセス・ポイントであり得て、そして例えば、インターネットに有線接続されることができる。しかしながら、他のアクセス・ポイント１０４−１１２のうちのいずれか又は全てが、有線接続されることができる。アクセス端末１１４，１１６，１１８及び１２０は、もし必要であれば、マルチ・ホップ（例えば、アクセス・ポイント１０４−１１２）を経由して有線接続されたアクセス・ノード１０２と通信する。順方向リンクは、有線接続されたアクセス・ノード１０２がアクセス端末１１４−１２０に向けられた通信を開始する時に確立される。逆方向リンクは、１又はそれより多くのアクセス端末１１４−１２０が有線接続されたアクセス・ノード１０２に向けられた通信を開始する時に確立される。マルチ・ホップ無線ネットワークが図示されそして説明されたものよりも多くのホップ又はより少ないホップを有することができること、そして異なるアクセス端末が異なる数のホップを有することができることが、理解されるはずである。
【００２０】
以下の詳細な説明では、ＴＤＤシステムは、受信機が送信機からの受信要請に基づいてデータ伝送をスケジュールすることが説明される。説明を容易にするために、ノードは、送信と受信を同時にできないと仮定される。それに加えて、説明の目的のために、彩色体系及び彩色ストラテジーが、検討され、そこでは、交互のノードが異なる色に彩色され、そして時間が彩色されたタイム・スロットに分割される（divide）。ノードは、自身の色彩に対応するタイム・スロット上に送信し、そして他の色のタイム・スロットのあいだ注意を払う。様々な別のストラテジーが、交互のノードを区別するために利用されることができ、そしてその色は、単に単純化の目的のために本明細書中で利用されることが、理解されるはずである。
【００２１】
２色ストラテジーを利用すると、アクセス・ノード１０４と１０６及び端末１１６，１１８と１２０は、１つの色、例えば、緑、である。有線接続されたアクセス・ノード１０２、アクセス・ノード１０８，１１０と１１２、及び端末１１４は、例えば、赤のような、２番目の色である。それゆえ、この体系では同じ色によって表されるツリーにおいて接続されているノードがない。
【００２２】
受信機ベースのスケジューリング・システムでは、伝送は、複数の反対の色の間でだけ認められるはずである。この設定では、複数のノードは、同期され、そしてタイム・スロットは、２つの色の間で交互になる一定の継続期間である。各タイム・スロットは、制御部分及びデータ部分へと分解されることができる。自身の色に対応するタイム・スロットにおいて、送信機は、リソースを要求している受信機へ要請を送る。反対の色の引き続くタイム・スロットでは、受信機は、（複数の）ユーザのどちらが送信すべきであるかそしてどのリソース上に送信すべきであるかを決定する（このタスクは、一般的にスケジューリングと呼ばれる）。次のタイム・スロットでは、受信機が正しくデータを復号できたか又はできなかったかどうかに応じて、ＧＲＡＮＴ（許可）を受信した送信機は、受信機にデータを送り、それは順番に送信機へ肯定的受領通知（ＡＣＫ：acknowledgement）又は否定的受領通知（ＮＡＣＫ：negative-acknowledgement）を送る。この実施形態では、物理レイヤ・パケットが現在のホップで良好に復号された後で、物理レイヤ・パケットは、次のホップに進むことができるだけであると、想定する。
【００２３】
システム１００内部でのデータ伝送は、１フレームの中で制御フィールド及びデータ・フィールドを選択的に区分すること（partitioning）を可能にするように構成されることができる。そのように区分することは、データ伝送のために十分な処理時間を認めつつ、データ伝送の際の待ち時間の削減を提供できる。選択的に区分することは、同様に、データ伝送の際の待ち時間とデータ伝送に関係するパラメータに応じた処理時間とのトレードオフを与えることができる。そのようなパラメータは、利用可能なスケジューリング時間、利用可能な復号化時間、利用可能なパケット準備時間（符号化時間とも呼ばれる）、及び／又は（もし、パケットが受領通知されなければ（ＮＡＣＫ））最初の伝送の終わりから再伝送の始まりまでのような管理されるべき遅延、伝送終了から次のホップ伝送開始までであるホップ遅延、又は必要なインターレース／ＨＡＲＱチャネル（インターレースを増加させて処理する際の又はシグナリングする際の追加の複雑さ）を含むことができる。
【００２４】
図２は、マルチ・ホップ通信システムにおいて情報を伝達するためのシステム２００を図示する。システム２００は、上に説明された無線システム１００に類似の無線ネットワークを具備し、それは送信機２０４及び受信機２０６を含む。複数の送信機２０４及び受信機２０６が無線ネットワーク中に含まれることができるが、認識されるように１つの受信機２０６に通信データ信号を伝送する１つの送信機２０４が、単純化の目的のために図示されている。送信機２０４は、エンコーダ・コンポーネント２０８を含み、それは、その信号がその後受信機２０６に伝送される好適な無線通信プロトコル（例えば、ＯＦＤＭ，ＯＦＤＭＡ，ＣＤＭＡ，ＴＤＭＡ，ＧＳＭ，ＨＳＤＰＡ，．．．）にしたがってデータ伝送を変調できそして／又は符号化できる。エンコーダ・コンポーネント２０８は、例えば、ソース・エンコーダに引き続くチャネル・エンコーダであり得る。チャネル・エンコーダは、従来の符号化、ターボ符号化、又は低密度パリティ・チェック（ＬＤＰＣ）符号化のような体系に基づくことができる。
【００２５】
受信機２０６は、デコーダ・コンポーネント２１０を含み、それは受信したデータ伝送を復号できる。データ伝送を良好に復号すると、受領通知（ＡＣＫ）コンポーネント２１２は、データ伝送の良好な復号化を示す肯定的受領通知を発生することができ、それは、データ伝送が受け取られそして復号され、そしてそれゆえ、再伝送される必要がないことを送信機２０４に通知するために送信機２０４に送られることができる。ＡＣＫコンポーネント２１２は、ＡＣＫ／ＮＡＣＫプロトコルとともに受領通知技術を採用することができる。
【００２６】
受領通知コンポーネント２１２は、もしデータ伝送の良好な復号化がなければ、さらに否定的な受領通知（ＮＡＣＫ）を伝送できる。ＮＡＣＫは、データ伝送が受信機２０６により受信されなかった及び／又は良好に復号されなかったことを送信機２０４に通知するために、送信機２０４に送られることができる。そのようにして、そのようなデータのさらなる通信が伝送されるべきである場合に、送信機２０４は、データ伝送又はその一部を再伝送できる。
【００２７】
同様に、受信機２０６内に含まれたものは、スケジューラ２１４であり、それはデータ伝送のための最適なスケジューリングを決定するために構成されることができる。そのように、主な処理時間又は遅延（例えば、符号化、復号化、及びスケジューリング）は、別々のコンポーネントによって実行されることができる。しかしながら、ある複数の実施形態にしたがって、１又はそれより多くの処理時間は、同じコンポーネントによって決定される、そのように、３つの別々のコンポーネントは、これらの実施形態にしたがって利用されない。
【００２８】
ある複数の実施形態にしたがって、受信機２０６は、同様なプロセスに引き続いて次の受信機（図示されず）にデータ伝送を送ることができる。このプロセスは、データ伝送が意図された受信者に届くまで任意の数のホップを経由して繰り返されることができる。
【００２９】
例えば、ノードＡは、ノードＣへ転送されるようにノードＢへ伝達を送るように望むことができる。もしそうであるならば、ノードＢがノードＡのパケットを良好に受け取ったかどうかを決定する前に、ノードＢは、ノードＣへの伝送を要請しないはずである。しかしながら、ある状況では、遅延を削減するために、そして特に、ノードＢがノードＡのパケットを良好に復号する高い確率が知られている場合に、ノードＢは、ノードＡからのパケットの復号化を完了する前にノードＣへ要請を送ることができる、それは予見的要請と呼ばれる。しかしながら、予見的要請が結果としてリソースを無駄にすることになることがあることが、理解されるはずである。例えば、ノードＣがノードＢにリソースを許可するが、ノードＢがノードＡからのパケットを良好に復号することに失敗する場合に、そのようなリソースの無駄が、発生する。
【００３０】
それゆえ、ある複数の実施形態にしたがって、分離（split）配置制御フィールドが利用される場合に、受信機２０６は、予見的要請を回避するために前の端末から送り出されるＡＣＫを聴取できる。例えば、送信機２０４は、別の１つの端末（図示されず）からデータを受け取ったことがあり、そこでは、そのようなデータは、受信機２０６に送られるように意図されている。送信機２０４が別の端末（図示されず）からの伝送を良好に復号した後でだけ、送信機２０４は、受信機２０６に送るために別の端末（図示されず）からのリソースを要請するはずである。しかしながら、もし送信機２０４が別の端末（図示されず）へ送るＡＣＫを受信機２０６が聴取するのであれば、受信機２０６は、送信機２０４によるリソースの要請を意味するＡＣＫを暗黙のうちに使用することができる。
【００３１】
制御フィールドの適切な配置及び／又は区分に関する決定を行うために、オフライン設計タスクは、様々な基準を考慮することができる。オフライン・タスクは、ネットワーク内部の１又はそれより多くの設計モジュール２１６によって実行されることができ、それは適切な配置及び／又は区分を判断するために情報を使用する。例えば、スロット・タイムが符号化時間と復号化時間との間でどのように配分されるかが、考慮されることができる。その他の基準は、予見的要請の緩和、再伝送遅延の低下、等を含む。
【００３２】
異なる体系に対する制御フィールド・パラメータの例は、２ミリ秒の期間を有するフレームを含むことができる。制御期間は、０．２ミリ秒であり、ガード期間は、０．０１ミリ秒であり得る。単一位置配置に関して、開始点は、スロット長の０．７５部分であり得る。ＲＥＱ／ＰＩＬＯＴフィールドを有する分離フィールドに関して、開始点は、スロットの始まりであり得る。例えば、ＰＩＬＯＴは、送信機によって送られることができ、そしてＰＩＬＯＴ品質に基づいて適切なＧＲＡＮＴを行うために受信機によって使用されるはずである。ＧＲＡＮＴ／ＡＣＫフィールドを有する分離フィールドに関して、開始点は、スロット長の０．７５部分であり得る。
【００３３】
下記の表中のものは異なる体系に対する処理時間及び遅延に関係する例であることに注意する。処理時間及び遅延は、マイクロ秒の単位である。“前部”は、スロットの前部のところでの制御フィールドの単一配置を呼ぶ。“中心”は、スロットの中心のところでの制御フィールドの単一配置位置を呼ぶ。“分離（Split）”は、制御フィールドの分離配置を呼び、そして“単一位置／中心外し”は、単一位置配置を呼ぶ。これらの時間は説明の目的のためであり、そして複数の他の時間が利用できるので開示された実施形態は下記の数値で記された時間に限定されないことが、理解されるはずである。
【表１】
2008524938.tif 000003
【００３４】
表１を参照して、符号化と復号化との間の処理時間の合計は、分離配置及び単一位置配置／中心外し配置に対して同じである。位置に応じて、符号化時間と復号化時間との間の配分は、両方の設計に対して変更できる。そのように、配分は、中央配置とは異なり、符号化と復号化との間で等しくなく分離されることができる。一般的に復号化時間は、符号化時間よりも長く、それゆえ分離配置及び単一位置配置／中心外し配置は、中央配置を越える利点を提供し、その理由は、時間が適切に調節できるためである。
【００３５】
１又はそれより多くのオフライン設計タスク又はモジュール２１６は、時間区分モジュール２１８を含むことができ、それはスロット内部で符号化時間／復号化時間を最適化するように構成されることができる。例えば、ある複数の状況では、復号化時間は、符号化時間よりも長くなるはずであり、一方で別の状況では、より長い符号化時間であるはずである。時間区分モジュール２１８は、制御フィールドを配置するために各スロットの最良の部分を決定できる。
【００３６】
その上に、１又はそれより多くのオフライン設計タスク又はモジュール２１６に関係するスロット配置モジュール２２０は、スロット内部の最適な位置に制御フィールドを配置するために構成されることができ、好ましい符号化時間／復号化時間のトレードオフを実現する。ある複数の実施形態にしたがって、スロット配置モジュール２２０は、しかも、制御フィールドを２つの部分に区分するために、そして各部分をスロット内部の別の位置に置くために構成されることができる。例えば、復号化時間が符号化時間よりも長くなるはずである場合には、単一制御フィールドは、スロット中心の右に置かれることができる。符号化時間が復号化時間よりも長くなるはずである場合には、スロット配置モジュールは、スロット中心の左に制御フィールドを置くことができる。
【００３７】
２つの部分の一緒にした長さは、ほぼ１スロットの長さになるはずである。ＲＥＱＵＥＳＴ（要請）及びＰＩＬＯＴ（パイロット）は、分割された制御フィールドの１つの部分に置かれることができ、そしてＧＲＡＮＴ（認可）及びＡＣＫ／ＮＡＣＫ（肯定的受領通知／否定的受領通知）は、分割された制御フィールドの別の部分に置かれることができ、そのような配置は、例えば、時間区分モジュール２２０によって実行されることができる。
【００３８】
図３は、データ伝送の制御フィールド及びデータ・フィールドを選択的に区分するためのシステム３００の１つの実施形態を図示する。システム３００は、前の図面に関係して説明されたネットワークに類似の無線ネットワーク３０２を含む。ネットワーク３０２は、１つの送信機３０４及び１つの受信機３０６を用いて図示される、しかしながら、複数の送信機及び受信機がシステム３００内に採用されることができる。送信機３０４は、エンコーダ・コンポーネント３０８を含み、それはネットワーク３０２によって採用された変調体系にしたがって出て行く信号を符号化できる。そのような信号は、受信機３０６によって受信されることができ、そしてデコーダ・コンポーネント３１０によって復号される。受領通知（ＡＣＫ）コンポーネント３１２は、信号中で伝送された良好に復号されたデータ・パケット又はデータ・レイヤを表示する肯定的受領通知を発生でき、そして送信機３０４に肯定的受領通知を送り返すことができる。信号を受信する際に問題がある（例えば、巡回冗長検査が一致しない）場合、ＡＣＫコンポーネント３１２は、否定的受領通知（ＮＡＣＫ）を発生できる。同様に、受信機３０６に含まれるものは、スケジューラ３１４であり、それはデータ通信の適切なスケジューリングを決定するために構成されることができる。
【００３９】
ある複数の実施形態では、受信機３０６内に含まれた暗黙の要請モニタ３１６は、送っているノード（例えば、送信機３０４）からのＡＣＫ／ＮＡＣＫフィールドをモニタするために、そしてリソースに対する暗黙の要請としてＡＣＫ／ＮＡＣＫフィールドを取り扱うために構成されることができる。暗黙の要請モニタ３１６は、送信機３０４によって送られたＡＣＫを聞くことに基づいて暗黙の要請をモニタするため又は聴取するために構成されることができる。ＡＣＫが検出される場合、受信機３０６は、リソースに対する暗黙の要請としてＡＣＫを考えることができる。前のホップにおいてノードによって送られたＡＣＫは、暗黙の要請モニタ３０４によって復号されることができ、そして復号されたＡＣＫは、前のホップにおけるノードによるリソースに対する暗黙の要請として利用される。例えば、３つのノード（Ａ，Ｂ，及びＣ）があり、そしてＡはＢを経由してＣへデータを送ることを望んでいる。最初に、Ｂは、Ａのデータを正しく受け取るはずであり、そしてＡに肯定的受領通知を送る。Ｃは、このＡＣＫを聞くことができ、そしてＢからのリソースの要請としてそれを暗黙のうちに使用できる。暗黙の要請モニタ３１６を利用することは、制御フィールドの２番目の部分中に追加の要請フィールドを含ませることを軽減できる。
【００４０】
送信機３０４、受信機３０６、又は両者は、シリアル・ポート、ユニバーサル・シリアル・バス（ＵＳＢ：universal serial bus）、パラレル・ポート、及び通信プロトコル／規格を実行するための有線及び／又は無線インターフェース・コンポーネントを含むことができるが、これらに限定されない。通信プロトコル／規格は、例えば、マイクロ波接続のための世界相互運用性（ＷｉＭＡＸ：World Interoperability for Microwave Access）、赤外線データ・アソシエーション（ＩｒＤＡ：Infrared Data Association）のような赤外線プロトコル、短距離無線プロトコル／技術、ブルートゥース（Bluetooth）（登録商標）技術、ジグビー（ZigBee）（登録商標）プロトコル、超広帯域（ＵＷＢ：ultra wide band）プロトコル、ホーム無線通信周波数（ＨｏｍｅＲＦ）、共用無線接続プロトコル（ＳＷＡＰ：shared wireless access protocol）、無線イサーネット互換性アライアンス（ＷＥＣＡ：wireless Ethernet（登録商標） compatibility alliance）のような広帯域技術、無線忠実度アライアンス（ＷｉＦｉ（wireless fidelity）Alliance）、８０２．１１ネットワーク技術、公共交換電話ネットワーク技術、インターネットのような公共異種通信ネットワーク技術、非公開無線通信ネットワーク、陸上移動体無線通信ネットワーク、符号分割多元接続（ＣＤＭＡ：code division multiple access）、広帯域符号分割多元接続（ＷＣＤＭＡ：wideband code division multiple access）、ユニバーサル移動体電気通信システム（ＵＭＴＳ：universal mobile telecommunication system）、高度携帯電話サービス（ＡＭＰＳ：advanced mobile phone service）、時分割多元接続（ＴＤＭＡ：time division multiple access）、周波数分割多元接続（ＦＤＭＡ：frequency division multiple access）、直交周波数分割多元接続（ＯＦＤＭＡ：orthogonal frequency division multiple access）、移動体通信のための全世界システム（ＧＳＭ：global system for mobile communication）、単一キャリア（１Ｘ）無線通信伝送技術（ＲＴＴ：radio transmission technology）、エボリューション・データ・オンリー（ＥＶ−ＤＯ：evolution data only）技術、汎用パケット無線通信サービス（ＧＰＲＳ：general packet radio service）、拡張データＧＳＭ環境（ＥＤＧＥ：enhanced data GSM environment）、高速ダウンリンク・データ・パケット接続（ＨＳＰＤＡ：high speed downlink data packet access）、アナログ及びディジタル衛星システム、及び無線通信ネットワーク及びデータ通信ネットワークのうちの少なくとも１つで使用することができるいずれかの別の技術／プロトコルである。
【００４１】
１又はそれより多くの設計モジュール３１８は、ネットワーク３０２内に含まれることができ、そして時間区分モジュール及びスロット配置モジュールを含むことができる。（複数の）設計モジュール３１８は、設計モジュール３１８に動作上で接続されたメモリ３２４を含むことができる。メモリ３２４は、データ伝送における待ち時間を削減することに関係する情報を記憶でき、一方でスケジューリング、符号化、及び復号化のための妥当な処理時間を、同様にネットワーク３０２における待ち時間を削減させることに関係する他の好適な情報を与える。プロセッサ３２６は、設計モジュール３１８（及び／又はメモリ３２４）に動作上で接続されることができ、通信ネットワーク３０２における待ち時間を削減することに関係する情報の解析を促進する。プロセッサ３２６は、受信機３０６によって受信された情報を解析するため及び／又は発生させるための専用のプロセッサ、システム３００の１又はそれより多くのコンポーネントを制御するプロセッサ、及び／又は設計モジュール３１８によって受け取られた情報を解析しそして発生させ、かつシステム３００の１又はそれより多くのコンポーネントを制御することの両方を実行するプロセッサであり得る。
【００４２】
メモリ３２４は、制御フィールドの配置又は受信機３０６と送信機３０４との間の制御フィールドの区分、等に関係するプロトコルを記憶できる、その結果、システム３００は、記憶されたプロトコル及び／又はアルゴリズムを採用することができ、本明細書中で説明されるように無線ネットワーク内の通信の改善を実現する。本明細書中に記載されるデータ記憶（例えば、メモリ）コンポーネントが、揮発性メモリ又は不揮発性メモリのいずれかであり得る、又は揮発性メモリ及び不揮発性メモリの両方を含むことができる。例としてそして限定するのではなく、不揮発性メモリは、読み出し専用メモリ（ＲＯＭ：read only memory）、プログラマブルＲＯＭ（ＰＲＯＭ：programmable ROM）、電気的プログラマブルＲＯＭ（ＥＰＲＯＭ：electrically PROM）、電気的消去可能ＲＯＭ（ＥＥＰＲＯＭ：electrically erasable ROM）、又はフラッシュ・メモリ含むことができる。揮発性メモリは、ランダム・アクセス・メモリ（ＲＡＭ：random access memory）を含むことができ、それは外部キャッシュ・メモリとして動作する。例としてそして限定するのではなく、ＲＡＭは、多くの形式で利用可能であり、例えば、シンクロナスＲＡＭ（ＤＲＡＭ：synchronous RAM）、ダイナミックＲＡＭ（ＤＲＡＭ：dynamic RAM）、シンクロナスＲＡＭ（ＳＤＲＡＭ：synchronous DRAM）、ダブル・データ・レートＳＤＲＡＭ（ＤＤＲ  ＳＤＲＡＭ：double data rate SDRAM）、エンハンストＳＤＲＡＭ（ＥＳＤＲＡＭ：enhanced SDRAM）、シンクリンクＤＲＡＭ（ＳＬＤＲＡＭ：Synchlink DRAM）、及びダイレクト・ランバスＤＲＡＭ（ＤＲＲＡＭ：direct Rambus DRAM）である。開示された実施形態のメモリ３２４は、これらのタイプのメモリ及び他の適したタイプのメモリを備えるように意図されているが、これらに限定されない。
【００４３】
ここで図４を参照して、送信タイムライン及び受信タイムライン４００が、ここに図示されている。図示されたものは、第１の色（例えば、赤）のアクセス・ポイントに関するアクセス・ポイント（又は端末）伝送ピリオドを表している３つのタイム・スロットであり、４０２（第１の赤タイム・スロット）、４０４（第２の赤タイム・スロット）及び４０６（第３の赤タイム・スロット）と名付けられている。同様に、図示されたものは、第２の色（例えば、青）のアクセス・ポイントに関するアクセス・ポイント（又は端末）伝送ピリオドを表している３つのタイム・スロットであり、４０８（第１の青タイム・スロット）、４１０（第２の青タイム・スロット）及び４１２（第３の青タイム・スロット）と名付けられている。説明の目的のために、別々のアクセス・ポイントが、赤及び青として呼ばれる。しかしながら、別の１つの技術が複数のアクセス・ポイントの間を識別するために利用されることができ、そして色は、単純化の目的のためにここで利用される。図示されたように、それぞれの制御フィールド４１４−４２４は、各タイム・スロット４０２−４１２の前部の１つの場所に置かれることができる。
【００４４】
時間の直接関係する期間は、横線４２６として表されることができ、そこでは時間は、左から右へと移動する。関心のある期間は、タイムライン４２６上に“ＲＥＱＵＥＳＴ（要請）”４２８、“ＧＲＡＮＴ（認可）”４３０、データ伝送開始、“ＴＸ  ＳＴＡＲＴＳ（伝送開始）”４３２と名付けられる、データ伝送終了、“ＴｘＥＮＤｓ（伝送終了）”と名付けられる、及び“ＡＣＫ／ＮＡＣＫ  ＳＥＮＴ（ＡＣＫ／ＮＡＣＫ送付）”４３６として示される。関係する遅延は、４３８から４４０までの要請／認可遅延、４３８から４４２までの要請／伝送遅延、及び４４４から４４６までのＡＣＫ／ＮＡＣＫ遅延である。
【００４５】
第１の赤スロット４０２の制御部分４１４の間に、要請が送られる。青ノードへデータを送りたいと望んでいる別の赤ノード（図示されず）がある場合に、その別の赤ノードは、第１の赤タイム・スロット４０２の要請ピリオド又は制御ピリオド４１４の間にデータを送ることができる。説明の目的のために、受信機が実質的に同時に複数の要請を識別できそして復号できることが、想定される。ガード時間は、４５０のところに図示されている。
【００４６】
青アクセス・ポイントは、（複数の）要請を考慮することができ、そして（複数の）要請をどのようにして認可するかを決定することができる。ＧＲＡＮＴメッセージは、第１の青タイム・スロット４０８の制御部分において搬送される。ＧＲＡＮＴを受け取った赤アクセス・ポイントは、第２の赤タイム・スロット４０４において伝送する。復号化時間が一般にガード時間よりも長くなるはずであるので、受信している青アクセス・ポイントは、第２のタイム・スロット４１０の間ではなく、第３の青タイム・スロット４１２においてＡＣＫ又はＮＡＣＫすることが可能である。チャネルを占有し続けるために、２つのハイブリッドＡＱＲインターレースの使用が、利用されることができる。例えば、偶数の赤タイム・スロットは、第１のＨＡＲＱインターレース（又はプロセス）に対応することができ、そして奇数の赤タイム・スロットは、第２のＨＡＲＱインターレース（又はプロセス）に対応することができる。
【００４７】
直接的に関係する遅延は、伝送遅延、再伝送遅延、及びホップ遅延である。伝送遅延は、要請を送ることとデータの伝送を始めることとの間の最小時間である。再伝送遅延は、最初の伝送の終わりと再伝送の開始との間の時間である。再伝送遅延は、もともとの伝送が受信機において良好に復号されなかった場合に供されることができる。ホップ遅延は、あるホップにおけるデータ伝送の終わりから次のホップにおける同じデータの送信の開始までの間の時間である。
【００４８】
実現可能な遅延（伝送、再伝送、及びホップ）を制約する処理時間は、復号化時間、符号化時間、及びスケジューリング時間である。復号化時間は、データ伝送を完了することとＡＣＫ又はＮＡＣＫを受け取ることとの間の時間である。復号化時間は、伝送を復号するために（例えば、畳み込み復号化、ターボ復号化又はＬＤＰＣベースの復号化を実行するために）受信機において利用可能な時間を表す。符号化時間は、ＧＲＡＮＴを受け取ることとデータ伝送を開始することとの間の時間である。符号化時間は、ＧＲＡＮＴにしたがってデータを準備するために（例えば、畳み込み符号化、ターボ符号化又はＬＤＰＣ符号化、及び／又はＨＡＲＱサブパケット生成を実行するために）送信機にとって利用可能な時間を表す。スケジューリング時間は、１又はそれより多くのユーザから要請を受け取ることとこれらの要請の少なくともサブセットに応答してＧＲＡＮＴを送ることとの間の時間である。スケジューリング時間は、受信機において要請を処理するために、スケジューリング・アルゴリズムをランさせるために、そしてどちらのユーザをＧＲＡＮＴするか及びどのリソースであるかを決定するために利用可能な時間を表す。
【００４９】
説明されたように、制御フィールドは、スロットの前部のところの１つの場所に置かれることができる。この場所にある制御フィールドを用いると、伝送遅延は、ほぼ２スロットであり、再伝送遅延は、ほぼ３スロットである（ＮＡＣＫが独立した認可により実現されると仮定すると、それは要請を受けることを必要としないで行われる認可である）。ホップ遅延は、ほぼ２スロットであり、中継ノードが受け取るプロセス中にあるパケットを前方へ中継するための要請を行うことができると仮定するが、それが正しく復号されるか否かは分からない（それは本明細書中では予見的要請（anticipatory request）と呼ばれる）。スロットの前部のところに置かれた制御フィールドに対応する処理時間は、復号化時間がほぼ２スロットを要し、符号化時間がほぼ１スロットを要し、そしてスケジューリング時間がほぼ１スロットであることである。
【００５０】
一旦スロット・サイズが確定される又は設定されると、遅延は確定されそして１つの遅延と他の遅延とのさらなるトレードオフがないことに、注意すべきである。スロット・サイズそれ自身は、様々な他の制約、例えば、物理レイヤ・パケット・サイズ、待ち時間要求、チャネル・ダイナミックス、公正さ（fairness）、等、によって決定されることができる。１スロットのスケジューリング時間は、適切であるはずであるが、符号化時間及び復号化時間は、与えられ過ぎることがある。スロットの前部のところの１つの場所に制御フィールドを置くことは、それらを減らすための方法を与えず、それによって遅延メトリック（delay metrics）を減少させる。
【００５１】
図５は、本明細書中に開示された１又はそれより多くの実施形態にしたがった制御フィールドの配置を図示する。図示されたものは、第１のアクセス・ポイント（例えば、赤アクセス・ポイント）のための伝送ピリオド５０２及び第２のアクセス・ポイント（例えば、青アクセス・ポイント）のための伝送ピリオド５０４である。伝送ピリオド５０２及び５０４は、それぞれ制御フィールド５０６及び５０８を有し、それらはそれぞれの伝送ピリオド５０２及び５０４のいずれの端から離れて置かれる。制御フィールド５０６及び５０８がそれぞれのタイム・スロット５０２及び５０４の中央のところに図示されているが、制御フィールド５０６及び５０８がタイム・スロット５０２及び５０４の範囲内の任意の位置に置かれることができることが、理解されるはずである。そのような方法での配置は、“単一位置配置”と本明細書中では呼ばれる。
【００５２】
制御フィールド５０８の単一位置配置は、予見的要請の必要性を軽くできる、予見的要請は中継ノードがパケットを正しく復号することに失敗した場合にリソースを浪費することにつながることがある。より少ない再伝送遅延は、制御フィールド５０６の単一位置配置を用いて同様に実現されることができる。ホップ当りの遅延が全体の待ち時間要求を満足させるように小さくする必要があるという理由で、より少ない再伝送遅延は、マルチ・ホップの関係において重要な事柄のうちの１つである。制御フィールドが単一位置配置である時に、単一ＨＡＲＱインターレースが、利用されるはずである。その上、そのような配置は、望まれるように符号化時間と復号化時間とのトレードオフを可能にし、そして時間の合計は、約１スロットである。
【００５３】
制御フィールドの単一位置配置を利用することが、１スロットであるスケジューリング時間及び１スロットより短い復号化時間を与えることができることは、注目されるべきである。これは、ある複数の実施形態にしたがって適切であり得るが、別の実施形態では、これらの時間は短すぎることがある。そのような実施形態では、スロット期間は、スケジューリング時間及び／又は復号化時間のタイミングを長くするために長くされることができる。
【００５４】
横軸のタイムライン５０８’は、“ＲＥＱＵＥＳＴ”５１０及び対応する“ＧＲＡＮＴ” のタイミングとともに図示されている。スケジューリング時間又はスケジューリング遅延５１４は、スロット内の制御フィールド５０６，５０８の位置に関係なくほぼ１スロットである。符号化時間５１６と復号化時間５１８との合計は、同様に、ほぼ１スロットの時間ピリオドである。しかしながら、制御フィールド５０８の配置は、１スロットの時間ピリオドがどのようにして符号化時間５１６と復号化時間５１８との間で配分されるかを決定する。一般的に、復号化時間５１８は、符号化時間５１６よりも長く、そしてそれゆえ、制御フィールド５０８は、スロット５０４中心の右に配置されることができ、より長い復号化時間５１８を可能にする。
【００５５】
スロット中心の右に配置された制御フィールド５０８を用いると、制御フィールド５０８がスロット５０４の開始に対して相対的にどこに配置されたかに依存して、伝送遅延は、１スロットよりも長くなることがある。再伝送遅延は、約１スロットであることがあり、そしてホップ遅延は、約２スロットであり得る、しかしながら、予見的要請は、必要とされない。
【００５６】
ここで図６を参照して、図示されたものは、種々の実施形態にしたがった制御フィールド６００の分離配置を図示する。制御フィールド６０２を有する赤アクセス・ポイント伝送ピリオド及び制御フィールド６０４を有する青アクセス・ポイント伝送ピリオドが、図示される。制御フィールド６０２，６０４を２つの部分に分離することは、遅延と処理時間との間のトレードオフにさらなる自由度を与えることができる。単一位置／中心外し配置及び分離配置の両者は、符号化時間と符号化時間との間に同じタイプのトレードオフを可能にする。しかしながら、分離配置は、追加のスケジューリング時間を同様に可能にする。制御フィールド６０２，６０４の第１の部分６０６，６１０は、“ＲＥＱＵＥＳＴ”フィールド及びオプションとして“ＰＩＬＯＴ”又はスケジューリング・タスク（例えば、要請されたリソース、サービスの品質（ＱｏＳ：quality of service）、制約、等）のために有用である他の制御情報を搬送できる。制御フィールドの第２の部分６０８，６１２は、“ＧＲＡＮＴ”、“ＡＣＫ／ＮＡＣＫ”、及びリソース割り当て又は復号化結果のいずれかに直接関係する別の情報を搬送できる。
【００５７】
制御フィールドの分離配置を利用することは、２つのスロットの伝送遅延、１つのスロットの再伝送遅延、及び予見的要請を用いて２つのスロットのホップ遅延を与えることができる。復号化時間は、１スロットより短いことがあり、そして符号化時間と復号化時間との合計が１スロット長より短くなるように、符号化時間は、１スロットよりも短くされることができる。スケジューリング時間６１４は、複数の制御フィールド間の間隔に応じて１スロットと２スロットとの間になるように設計されることができる。
【００５８】
単一配置のケースと同様に、分離配置は、符号化時間６１６と復号化時間６１８とのトレードオフを可能にし、一方で２つの時間の合計を１スロットに維持する。しかしながら、分離配置は、スロット・サイズを増加させることなくはるかに長いスケジューリング時間を可能にする。単一位置配置を利用する時に、利用可能なスケジューリング時間を増加させるために、スロット・サイズが大きくされるはずであることを、注意すべきである。伝送遅延に対する要請は、６２０で示され、そしてガード時間は、６２２で示される。
【００５９】
分離配置は、予見的要請を利用する、一方で単一配置体系は、これらの要請を利用しない。しかしながら、第２の制御フィールド（“ＧＲＡＮＴ”及び“ＡＣＫ／ＮＡＣＫ”を含んでいるもの）の一部として追加の要請フィールドを与えることは、予見的要請に対する必要性を軽減させることができる。典型的なＨＡＲＱモードの動作（例えば、パケットが一般的にそこでは上手くいくＨＡＲＱ再伝送アテンプト及び上手くいく再伝送アテンプトの際に関係する変動可能性）に応じて、これは、予見的要請を有することよりもさらに望ましいことがある。
【００６０】
ある複数の実施形態では、予見的要請を軽減させるために、次のホップの受信ノードは、リソースに対する暗黙の要請であるＡＣＫＳを用いて送られているＡＣＫを聴取できる。例えば、データは、ノードＡからノードＢへノードＣへと送られる。ノードＢがノードＡからの伝送を良好に復号した場合に、ノードＢは、ノードＣへ送るためにリソースを要請するはずである。しかしながら、ノードＢがノードＡに送るＡＣＫをもしノードＣが聴取するのであれば、ノードＣは、ノードＢからノードＡへのＡＣＫを暗黙のうちに使用することができ、ノードＢによるリソースの要請を推測する。
【００６１】
上に示されそして説明された具体例のシステムの観点から、種々の実施形態の１又はそれより多くの態様にしたがって実行されることができる方法は、図７−９の図を参照してより良く理解されるであろう。説明の単純化の目的のために、方法は、一連のブロックとして示されそして説明されるが、これらの方法にしたがって、ある複数のブロックが本明細書中に示されそして説明されたものとは異なる順番でそして／又は他のブロックと同時に生じるので、本方法が、ブロックの順番によって限定されないことが、理解されそして認識される。その上に、図示されたブロックの全てではないが、開示された実施形態の１又はそれより多くの態様にしたがった方法を実行するために必要とされることがある。種々のブロックが、ソフトウェア、ハードウェア、これらの組み合わせ、又はブロックに関係する機能を実行するためのいずれかの別の好適な手段（例えば、デバイス、システム、プロセス、コンポーネント）により与えられることができることが、認識される。同様に、ブロックが単純化された形式で本明細書中に与えられたある種の態様を単に説明すること、そしてこれらの態様がより少ない数の及び／又はより多い数のブロックによって説明されることができることも、認識される。方法が、状態図のような一連の相互に関係付けられた状態又は事象として代わりに表されることができることを、当業者は、理解しそして認識するであろう。
【００６２】
図７は、データ・フィールド及び制御フィールドを選択的に区分するための方法７００のフロー図を説明する。７０２において、符号化時間と復号化時間との間の時間配分が、決定される。決定された時間配分に一部は基づいて、７０４において、制御フィールドがフレーム内で選択的に配置される。そのような選択的な配置は、スロットの始めのところに配置された全制御フィールドを含むことができる。このシナリオでは、スロット・サイズ及び遅延は、一定であり、そして１つの遅延と別の１つのものとのトレードオフは、可能ではない。符号化時間及び復号化時間の過剰供給があり得る、それは削減されることができず、それによって遅延メトリックを減少させる。
【００６３】
別の１つの選択的な配置は、スロット内の１つの場所に制御フィールドを配置することを含むことができる。この配置は、符号化時間と復号化時間とのトレードオフを可能にし、両方の時間の合計が１スロットであることを与える。スケジューリング時間が１スロットであり、そして１スロットより短い復号化時間が、ある複数のケースでは短すぎることがあり、そして復号化時間を長くするために、スロット期間が長くされるはずであることが、注目されるはずである。
【００６４】
制御フィールドを２つの部分に分離すること、そしてスロット内の別の場所に各部分を配置することは、選択的な配置の別の１つのタイプである。制御フィールドを分離することは、符号化時間と復号化時間との間のトレードオフにおける自由度を与え、一方でそれらの合計が１スロットになるように維持する。このタイプの配置は、スロット・サイズを増加させることなくより長いスケジューリング時間を付加的に与える。２つの部分の制御フィールドは、予見的要請を含むことができるが、２番目の部分に追加の要請フィールドを配置することは、予見的要請に対する必要性を軽減する。代わりに又は付け加えると、暗黙の要請をモニタすることは、予見的要請及び／又は追加の要請フィールドに対する必要性を軽減するために利用されることができる。
【００６５】
図８は、単一位置配置において制御フィールドを選択的に配置するための方法８００のフロー図を説明する。８０２において、スロット内の制御フィールドの単一位置配置が、指定される。この指定は、待ち時間と処理時間との間のトレードオフに基づいて行われることができる。そのような配置は、予見的要請の数を削減でき、そして／又は再伝送遅延が、短縮されることがある。その上、そのような配置を用いて、単一ＨＡＲＱが、利用される。
【００６６】
８０４において、復号化時間が符号化時間よりも長くされるべきかどうかの決定が、行われる。復号化時間が符号化時間よりも長くされるべきである（“ＹＥＳ”）場合には、８０６において、制御フィールドは、スロットの中心の右に配置される。符号化時間が復号化時間よりも長くされるべきである（“ＮＯ”）場合には、８０６において、制御フィールドは、スロットの中心の左に配置される。制御フィールドが単一配置場所で配置される時に、符号化時間と復号化時間との間のトレードオフは、１スロットの長さについてであるべきであることに、注意すべきである。
【００６７】
図９は、データ伝送のために分離配置制御フィールド利用するための設計方法９００のフロー図を説明する。９０２において、制御フィールドの分離配置が、選択される。この選択は、データ伝送における待ち時間及び処理時間との間のトレードオフを含む様々な基準に基づいて行われることができる。トレードオフは、十分な処理時間を与えつつ待ち時間を減少させるために最適化されることができる。９０４において、制御フィールドは、２つの部分に分割される。第１の部分は、“ＲＥＱＵＥＳＴ”フィールド及びオプションとして“ＰＩＬＯＴ”又はスケジューリング・タスク（例えば、要請されたリソース、ＱｏＳ、制約、及びその他）のために利用されることができる他の制御情報を搬送できる。制御フィールドの第２の部分は、“ＧＲＡＮＴ”、“ＡＣＫ／ＮＡＣＫ”、及びリソース割り当て又は復号化結果のいずれかに直接関係する別の情報を搬送できる。
【００６８】
９０６において、予見的要請が受け入れられるかどうかの決定が、行われる。予見的要請は、中継ノードがパケットを良好に復号しない状況においてリソースを無駄にするはずである。予見的要請を含むことが受け入れられる（“ＹＥＳ”）場合に、方法９００は、９０８に続き、そして予見的要請は、送信ノードによってフレームに追加される。９０６における決定が、予見的要請が受け入れらない（“ＮＯ”）ことである場合に、９１０において、追加の要請フィールドが制御フィールドの第２の部分に含まれるべきであるかどうかの決定が、行われる。制御フィールドの第２の部分が、追加の要請フィールドを含ませることができる（“ＹＥＳ”）場合に、９１２において、フィールドが送信ノードによって追加される。追加の要請フィールドが含まれるべきでない（“ＮＯ”）場合に、方法９１０は、９１４に続き、そこでは、暗黙の要請が受信ノードによってモニタされる。
【００６９】
予見的要請フィールド又は追加の要請フィールドが含まれようとしている場合に、送信機ノードは、そのような要請を含む。もし予見的要請フィールド又は追加の要請フィールドが含まれないのであれば、暗黙の要請をモニタすることは、受信機ノードにおいて実行されることができる。ある複数の実施形態では、９１４において、暗黙の要請をモニタすることは、送られるＡＣＫ（例えば、リソースに対する暗黙の要請）を聴取する又はモニタする次のホップの受信ノードを含むことができる。このＡＣＫは、復号されることができそしてリソースに対する暗黙の要請とし使用されることができる。
【００７０】
例えば、３つのノード（ノードＡ、ノードＢ、及びノードＣ）がある。データは、ノードＡからノードＢへ、ノードＣへ送られようとしている。ノードＡは、最初のタイム・スロットにおいてノードＢへ要請を送る。次のタイム・スロットにおいて、ノードＢは、要請を認可する。一般に、ノードＢは、パケットがノードＣに送られる前にそのようなパケットを復号する、その理由は、ノードＢがパケットを上手く復号できない場合に、パケットは、ノードＣに送ることができないためである。しかしながら、ノードＢがタイム・スロットの１つ置きに送信するので、ある複数の実施形態では、ノードＢは、ノードＡに認可をその中で送っているタイム・スロットの間にノードＣへ要請（ここでは予見的要請と呼ばれる）を送るはずである。そのような状況は、ノードＢがノードＡから受け取ったパケットを良好に復号する高い確率があるときに起きることがある。認可がノードＡへ送られることと実質的に同時にノードＣに予見的要請を送ることは、ノードＡとノードＣとの間の待ち時間を減少させる。もし追加の要請フィールドが含まれるのであれば、ノードＢは、パケットを復号し、そしてノードＢがノードＣへ要請をその中で送る同じタイム・スロットの間にノードＡへＡＣＫを送る。
【００７１】
予見的要請及び追加の要請の両者は、与えられた例ではノードＢ（送信機）によって実行される。そのように、ノードＣ（受信機）は、暗黙のＡＣＫを検索する必要がない。しかしながら、追加の要請又は予見的要請が与えられない場合、ノードＣは、ノードＡへノードＢにより送られるＡＣＫをモニタすることができ、そしてＡＣＫを検出するとデータの暗黙の要請を送ることができる。
【００７２】
ここで図１０を参照して、図示されたものは、１又はそれより多くの開示された実施形態にしたがった無線通信環境において複数の通信プロトコル間の通信の調整を促進するシステム１０００を図示する。システム１０００は、アクセス・ポイント中に及び／又はユーザ・デバイス中に存在できる。システム１０００は、受信機１００２を備え、それは例えば、受信機アンテナから信号を受信できる。受信機１００２は、そこにおける一般的な動作、例えば、受信した信号をフィルタすること、増幅すること、ダウンコンバートすること、等を実行できる。受信機１００２は、しかも調整された信号をディジタル化してサンプルを得ることができる。復調器１００４は、各シンボル・ピリオドのあいだに受信シンボルを得ることができ、同様に、受信シンボルをプロセッサ１００６に与えることができる。
【００７３】
プロセッサ１００６は、受信機コンポーネント１００２によって受信された情報を解析するための、及び／又は送信機１０１６による伝送のために情報を発生させるための専用のプロセッサであり得る。プロセッサ１００６は、ユーザ・デバイス１０００の１又はそれより多くのコンポーネントを制御でき、及び／又はプロセッサ１００６は、受信機１００２によって受信された情報を解析でき、送信機１０１６による送信のために情報を発生でき、そしてユーザ・デバイス１０００の１又はそれより多くのコンポーネントを制御できる。プロセッサ１００６は、さらなるユーザ・デバイスとの通信を調整することが可能なコントローラ・コンポーネントを含むことができる。
【００７４】
ユーザ・デバイス１０００は、メモリ１００８をさらに備えることができ、それはプロセッサ１００６に動作上で接続され、そして通信を調整することに関係する情報及びその他の適した情報を記憶する。メモリ１００８は、通信を調整することに関係するプロトコルをさらに記憶できる。本明細書中で記載されるデータを記憶する（例えば、メモリ）コンポーネントは、揮発性メモリ又は不揮発性メモリのいずれかであり得る、又は揮発性メモリ及び不揮発性メモリの両方を含むことができることが、認識される。説明のために、そして限定するのではなく、不揮発性メモリは、読み出し専用メモリ（ＲＯＭ：read only memory）、プログラマブルＲＯＭ（ＰＲＯＭ：programmable ROM）、電気的プログラマブルＲＯＭ（ＥＰＲＯＭ：electrically PROM）、電気的消去可能ＲＯＭ（ＥＥＰＲＯＭ：electrically erasable ROM）、又はフラッシュ・メモリを含むことができる。揮発性メモリは、ランダム・アクセス・メモリ（ＲＡＭ：random access memory）を含むことができ、それは外部キャッシュ・メモリとして動作する。説明としてそして限定するのではなく、ＲＡＭは、複数の形式で利用可能であり、例えば、シンクロナスＲＡＭ（ＳＲＡＭ：synchronous RAM）、ダイナミックＲＡＭ（ＤＲＡＭ：dynamic RAM）、シンクロナスＤＲＡＭ（ＳＤＲＡＭ：synchronous DRAM）、ダブル・データ・レートＳＤＲＡＭ（ＤＤＲ  ＳＤＲＡＭ：double data rate SDRAM）、エンハンストＳＤＲＡＭ（ＥＳＤＲＡＭ：enhanced SDRAM）、シンクリンクＤＲＡＭ（ＳＬＤＲＡＭ：Synchlink DRAM）、及びダイレクト・ランバスＲＡＭ（ＤＲＲＡＭ：direct Rambus RAM）である。対象のシステム及び／又は方法のメモリ１００８は、これらのタイプのメモリ及びいずれかの別の適したタイプのメモリを備えるように意図されているが、これらに限定されない。ユーザ・デバイス１０００は、まだその上にシンボル変調器１０１０及び変調された信号を送信する送信機１０１２をさらに備える。
【００７５】
図１１は、各種の態様にしたがった通信プロトコルの調整を促進するシステム１１００の説明図である。システム１１００は、基地局すなわちアクセス・ポイント１１０２を備える。図示されたように、基地局１１０２は、１又はそれより多くのユーザ・デバイス１１０４からの（複数の）信号を受信アンテナ１１０６により受信し、そして送信アンテナ１１０８を経由して１又はそれより多くのユーザ・デバイス１１０４に送信する。
【００７６】
基地局１１０２は、受信機１１１０を備え、それは受信アンテナ１１０６から情報を受け取り、そして受信した情報を復調する復調器１１１２に動作上で関係付けられる。復調されたシンボルは、メモリ１１１６に接続されているプロセッサ１１１４によって解析される。メモリ１１１６は、コード・クラスタ、ユーザ・デバイス割当て、それに関係するルックアップ・テーブル、固有のスクランブリング系列、及びその他に関係する情報を記憶する。変調器１１１８は、ユーザ・デバイス１１０４への送信アンテナ１１０８を経由して送信機１１２０による送信のために信号を多重化できる。
【００７７】
図１２は、具体例の無線通信システム１２００を図示する。無線通信システム１２００は、簡潔さのために１つの基地局及び１つの端末を図示する。しかしながら、システム１２００が１より多くの基地局すなわちアクセス・ポイント及び／又は１より多くの端末すなわちユーザ・デバイスを含むことができることが、認識される、ここにおいて、追加の基地局及び／又は追加の端末は、以下に説明される具体例の基地局及び端末に実質的に類似であり得る又は異なることがあり得る。その上、基地局及び／又は端末が、それらの間で無線通信を促進するために本明細書中に記載されたシステム及び／又は方法を採用することができることが、認識されるはずである。
【００７８】
ここで図１２を参照して、ダウンリンク上で、アクセス・ポイント１２０５において、送信（ＴＸ）データ・プロセッサ１２１０は、トラフィック・データを受け取り、フォーマット化し、コード化し、インターリーブし、そして変調する（すなわち、シンボル・マッピングする）、そして変調シンボル（“データ・シンボル”）を与える。シンボル変調器１２１５は、データ・シンボル及びパイロット・シンボルを受け取りそして処理し、そしてシンボルのストリームを与える。シンボル変調器１２１５は、データ・シンボル及びパイロット・シンボルを多重化し、そしてＮ個の伝送シンボルのセットを得る。各伝送シンボルは、データ・シンボル、パイロット・シンボル、又はゼロの信号値であり得る。パイロット・シンボルは、各シンボル・ピリオドにおいて連続的に送られることができる。パイロット・シンボルは、周波数分割多重化される（ＦＤＭ：frequency division multiplexed）、直交周波数分割多重化される（ＯＦＤＭ：orthogonal frequency division multiplexed）、時分割多重化される（ＴＤＭ：time division multiplexed）、周波数分割多重化される（ＦＤＭ：frequency division multiplexed）、又は符号分割多重化される（ＣＤＭ：code division multiplexed）ことができる。
【００７９】
送信機ユニット（ＴＭＴＲ）１２２０は、シンボルのストリームを受け取り１又はそれより多くのアナログ信号へと変換し、そしてさらにアナログ信号を調整して（例えば、増幅し、フィルタし、そして周波数アップコンバートして）無線チャネルを介した伝送のために適したダウンリンク信号を発生させる。ダウンリンク信号は、その後、アンテナ１２２５を経由して端末へ伝送される。端末１２３０において、アンテナ１２３５は、ダウンリンク信号を受信し、そして受信機ユニット（ＲＣＶＲ）１２４０に受信した信号を与える。受信機ユニット１２４０は、受信信号を調整し（例えば、フィルタし、増幅し、そして周波数ダウンコンバートし）、そして調整した信号をディジタル化してサンプルを得る。シンボル復調器１２４５は、Ｎ個の受信シンボルを取得し、そして受け取ったパイロット・シンボルをチャネル推定のためにプロセッサ１２５０に与える。シンボル復調器１２４５は、さらにプロセッサ１２５０からダウンリンクに関する周波数応答推定値を受け取り、受け取ったデータ・シンボルにデータ復調を実行してデータ・シンボル推定値（それは伝送されたデータ・シンボルの推定値である）を取得し、そしてＲＸデータ・プロセッサ１２５５にデータ・シンボル推定値を与える、ＲＸデータ・プロセッサ１２５５はデータ・シンボル推定値を復調し（例えば、シンボル逆マッピングし）、逆インターリーブし、そして復号して伝送されたトラフィック・データを再生する。シンボル復調器１２４５とＲＸデータ・プロセッサ１２５５による処理は、アクセス・ポイント１２０５における、それぞれシンボル変調器１２１５とＴＸデータ・プロセッサ１２１０による処理に対して相補的である。
【００８０】
アップリンク上で、ＴＸデータ・プロセッサ１２６０は、トラフィック・データを処理し、そしてデータ・シンボルを与える。シンボル変調器１２６５は、データ・シンボルを受け取り、パイロット・シンボルと多重化し、変調を実行し、そしてシンボルのストリームを与える。送信機ユニット１２７０は、次に、シンボルのストリームを受け取りそして処理して、アップリンク信号を発生する、それはアクセス・ポイント１２０５にアンテナ１２３５により送信される。
【００８１】
アクセス・ポイント１２０５において、端末１２３０からのアップリンク信号は、アンテナ１２２５によって受信され、そして受信機ユニット１２７５によって処理されてサンプルを得る。シンボル復調器１２８０は、次に、サンプルを処理し、そして受信したパイロット・シンボル及びアップリンクに関するデータ・シンボル推定値を与える。ＲＸデータ・プロセッサ１２８５は、データ・シンボル推定値を処理して端末１２３０によって伝送されたトラフィック・データを再生する。プロセッサ１２９０は、アップリンク上に伝送している各々のアクティブな端末に対するチャネル推定を実行する。
【００８２】
プロセッサ１２９０及び１２５０は、それぞれアクセス・ポイント１２０５及び端末１２３０における動作を管理する（例えば、制御する、調整する、統御する、等）。それぞれのプロセッサ１２９０及び１２５０は、プログラム・コード及びデータを記憶するメモリ・ユニット（図示されず）に関係付けられることができる。プロセッサ１２９０及び１２５０は、しかもそれぞれ、アップリンク及びダウンリンクに関する周波数及びインパルス応答推定値を導出するための計算を実行できる。
【００８３】
多元接続システム（例えば、ＦＤＭＡ，ＯＦＤＭＡ，ＣＤＭＡ，ＴＤＭＡ，等）に関して、複数の端末は、アップリンク上に同時に伝送できる。そのようなシステムのために、パイロット副帯域が、異なる端末の間で共用されることができる。チャネル推定技術は、各端末に対するパイロット副帯域が（おそらく帯域端を除いて）動作帯域全体に広がるケースにおいて使用されることができる。そのようなパイロット副帯域構造は、各端末について周波数ダイバーシティを得るために望ましいはずである。本明細書中に説明された技術は、種々の手段によって与えられることができる。例えば、これらの技術は、ハードウェア、ソフトウェア、又はこれらの組み合わせで与えられることができる。ハードウェア手段に関して、チャネル推定のために使用される処理ユニットは、１又はそれより多くの用途特定集積回路（ＡＳＩＣｓ：application specific integrated circuits）、ディジタル信号プロセッサ（ＤＳＰｓ：digital signal processors）、ディジタル信号処理デバイス（ＤＳＰＤｓ：digital signal processing devices）、プログラマブル論理デバイス（ＰＬＤｓ：programmable logic devices）、フィールド・プログラマブル・ゲートアレイ（ＦＰＧＡｓ：field programmable gate arrays）、プロセッサ、コントローラ、マイクロ−コントローラ、マイクロプロセッサ、本明細書中で説明した機能を実行するために設計された他の電子ユニット、又はこれらの組み合わせの中で与えられることができる。ソフトウェアを用いて、実行することは、本明細書中に説明された機能を実行するモジュール（例えば、手順、機能、及びその他）を通して行われることができる。ソフトウェア・コードは、メモリ・ユニット中に記憶されることができ、そしてプロセッサ１２９０及び１２５０によって実行されることができる。
【００８４】
図１３は、マルチ・ホップ無線通信ネットワークにおけるデータ伝送の制御フィールド及びデータ・フィールドを選択的に区分するためのシステム１３００を図示する。システム１３００は、機能ブロックとして表示され、それはプロセッサ、ソフトウェア又はそれらの組み合わせ（例えば、ファームウェア）によって実行される機能を表す機能ブロックであることができ、そして無線装置又は他のデバイス中に含まれることができる。
【００８５】
システム１３００は、符号化時間と復号化時間との配分を確認にするための論理モジュール１３０２を含む。フレーム内で制御フィールドの位置を決めるための論理モジュール１３０４は、符号化時間と復号化時間との間の確認された配分に一部は基づいて位置決定を行うことができる。制御フィールドの位置は、スロットの前部に、スロットの中心に、スロットの中心から（左又は右に）外されることができる、又は制御フィールドは、分割されることができ、そしてスロット内の２つの場所に配置されることができる。
【００８６】
同様に、システム１３００内に含まれるものは、制御フィールドを２つの部分へと分割するための１又はそれより多くの論理モジュール１３０６であり得る。制御フィールドを２つの部分へと分割することは、スケジューリング、符号化、及び復号化に対して適切な処理時間を与えつつ、より良い待ち時間性能を与えることができる。予見的要請を選択的に含ませるための論理モジュール１３０８は、同様に含まれることができる。要請フィールドが分割された又は分離された制御フィールドの第２の部分に含まれる場合に、予見的要請は、含まれないはずである。システム１３００は、同様にＡＣＫを復号するためそしてリソースに対する暗黙の要請としてＡＣＫを使用するための論理モジュール１３１０を含むことができる。
【００８７】
例えば、無線装置は、符号化時間と復号化時間配分を確認するための手段、それは論理モジュール１３０２であり得る、そして符号化時間と復号化時間との間の確認された配分に一部は基づいてフレーム内で制御フィールドの位置を決めるための手段、それは論理モジュール１３０４であり得る、を備えることができる。ある複数の実施形態では、無線装置は、同様に、制御フィールドを２つの部分へと分割するための手段、それは論理モジュール１３０６であり得る、を含むことができる。同様に含まれたものは、予見的要請を選択的に含むための手段、それは論理モジュール１３０８であり得る、及びＡＣＫを復号するためそしてリソースに対する暗黙の要請としてＡＣＫを使用するための手段、それは論理モジュール１３１０であり得る、であり得る。
【００８８】
本明細書中に記載された実施形態が、ハードウェア、ソフトウェア、ファームウェア、ミドルウェア、マイクロコード、又はこれらのいずれかの組み合わせによって与えられることができることは、理解される。システム及び／又は方法が、ソフトウェア、ファームウェア、ミドルウェア又はマイクロコード、プログラム・コード又はコード・セグメントで実行される時に、それらは、記憶コンポーネントのような、機械読み取り可能な媒体中に記憶されることができる。コード・セグメントは、手順、機能、サブプログラム、プログラム、ルーチン、サブルーチン、モジュール、ソフトウェア・パッケージ、クラス、若しくは命令、データ構造、又はプログラム・ステートメントのいずれかの組み合わせを表すことができる。コード・セグメントは、別の１つのコード・セグメントと結合されることができる、若しくは、情報、データ、アーギュメント、パラメータ、又はメモリ内容を渡すことによって及び／又は受け取ることによってハードウェア回路に接続されることができる。情報、アーギュメント、パラメータ、データ、等は、メモリを共有すること、メッセージを渡すこと、トークンを渡すこと、ネットワーク伝送、等を含むいずれかの好適な手段を使用して渡されることができ、転送されることができ、又は伝送されることができる。
【００８９】
ソフトウェア手段に関して、本明細書中で記載された技術は、本明細書中に記載された機能を実行するモジュール（例えば、手順、機能、及びその他）を用いて与えられることができる。ソフトウェア・コードは、メモリ・ユニット中に記憶されることができ、そしてプロセッサによって実行されることができる。メモリ・ユニットは、プロセッサの内部に又はプロセッサの外部に与えられることができ、外部のケースでは、本分野において公知の種々の手段を通してプロセッサに通信的に接続されることができる。
【００９０】
上に記載されてきたものは、１又はそれより多くの実施形態の複数の例を含む。当然ながら、上記の実施形態を説明する目的のために全ての考えられるコンポーネント又は方法の組み合わせを説明することは不可能であるが、当業者は、様々な実施形態の複数のさらなる組み合わせ及び置き換えが可能であることを理解することができる。したがって、記載された実施形態は、特許請求の範囲の精神及び範囲内になる全てのそのような代替物、変更、及び変形を包含するように意図されている。その上、用語“含む（includes）”が詳細な説明又は特許請求の範囲のいずれかで使用される限りは、そのような用語は、“具備する（comprising）”が請求項において接続の言葉として採用されるときに解釈されるように、用語“具備する”に類似の方法で包括的であるように意図される。
【図面の簡単な説明】
【００９１】
【図１】図１は、本明細書中に開示された種々の実施形態にしたがったマルチ・ホップ通信システムの例示である。
【図２】図２は、マルチ・ホップ通信システムにおいて情報を伝達するためのシステムを図示する。
【図３】図３は、データ伝送の制御フィールド及びデータ・フィールドを選択的に区分するためのシステムの他の１つの実施形態を図示する。
【図４】図４は、送信タイムライン及び受信タイムラインを図示する。
【図５】図５は、本明細書中に開示された１又はそれより多くの実施形態にしたがった制御フィールドの配置を図示する。
【図６】図６は、種々の実施形態にしたがった制御フィールドの分離配置を図示する。
【図７】図７は、データ・フィールド及び制御フィールドを選択的に区分するための方法のフロー図を説明する。
【図８】図８は、単一位置配置の際に制御フィールドを選択的に区分するための方法のフロー図を説明する。
【図９】図９は、データ伝送のために分離配置制御フィールドを利用するための設計方法のフロー図を説明する。
【図１０】図１０は、本明細書中に提示された１又はそれより多くの実施形態にしたがった無線通信環境において複数の通信プロトコル間の通信を調整するシステムを図示する。
【図１１】図１１は、各種の態様にしたがった無線通信環境において通信を調整するシステムを図示する。
【図１２】図１２は、本明細書中に記載された様々なシステム及び方法とともに採用されることができる無線通信環境を図示する。
【図１３】図１３は、マルチ・ホップ無線通信ネットワークにおいてデータ伝送の制御フィールド及びデータ・フィールドを選択的に区分するためのシステムを図示する。
【符号の説明】
【００９２】
１００…マルチ・ホップ通信システム，１０２，１０４，１０６，１０８，１１０，１１２…アクセス・ポイント・ノード，１１４，１１６，１１８，１２０…アクセス端末，３１８…設計モジュール，４００…送信及び受信タイムライン，４０２，４０４，４０６…赤のタイム・スロット，４０８，４１０，４１２…青のタイム・スロット，４１４，４１６，４１８，４２０，４２２，４２４…制御フィールド，５０２，５０４…伝送スロット，５０６，５０８…制御フィールド，６０６，６１０…制御フィールドの第１の部分，６０８，６１２…制御フィールドの第２の部分，１２００…無線通信システム，１２０５…アクセス・ポイント，１２３０…端末。
【図１】
2008524938.tif 000004
【図２】
2008524938.tif 000005
【図３】
2008524938.tif 000006
【図４】
2008524938.tif 000007
【図５】
2008524938.tif 000008
【図６】
2008524938.tif 000009
【図７】
2008524938.tif 000010
【図８】
2008524938.tif 000011
【図９】
2008524938.tif 000012
【図１０】
2008524938.tif 000013
【図１１】
2008524938.tif 000014
【図１２】
2008524938.tif 000015
【図１３】
2008524938.tif 000016
【国際調査報告】
2008524938.tif 000017
2008524938.tif 000018